(57)【要約】      （修正有）【課題】清掃用部材を省力的に高速回転させることにより水切りをすることができる省力回転モップ部材を提供する。【解決手段】外管１１と、回転可能に前記外管の内部に挿設される内管２０と、前記外管と内管とを固定させる内外管固定部材３０と、一方向駆動部材４０と、前記内管の下端に固定される清掃用部材５０とを設ける。また、該一方向駆動部材４０は、下端へ行く次第螺旋のピッチが大きくなる螺旋シャフト４２と、内管の内部に固定され、螺旋シャフトを通過させるシャフト孔を具備する内管固定部材４４とを有する。【選択図】図１
0003167491.tif 000002
【実用新案登録請求の範囲】
【請求項１】
外管と、内管と、内外管固定部材と、一方向駆動部材と、清掃用部材とを有し、
前記外管は、中空状を呈し、下端と、外周面と、内径と、該下端に形成される開口とを有し、
前記内管は、中空状を呈し、回転可能に前記外管の内部に挿設され、上端と、下端と、外周面と、前記外管の内径より小径な外径とを有し、
前記内外管固定部材は、前記外管の外周面における該外管の下端の近傍に固定される上端と、前記内管の外周面における上端の近傍を挿入させる下端と、側面と、枢設部と、前記枢設部に枢設され、前記内管の外周面へ突出される係止ブロックを有するロック取っ手と、前記ロック取っ手とを有し、
前記一方向駆動部材は、外管固定部材と、螺旋シャフトと、内管固定部材とを有し、
前記外管固定部材は、パイプ状を呈し、前記外管の内部に固定され、上部と、下部とを有し、
前記螺旋シャフトは、前記外管固定部材の下部に設置されると共に、ピッチを有する螺旋状を呈し、上端と、下端と、厚さとを有し、前記螺旋シャフトの下端の近傍におけるピッチが前記螺旋シャフトの上端の近傍におけるピッチより大きいものであり、
前記内管固定部材は、パイプ状を呈し、前記内管の内部に固定され、中心と、該中心に形成され、前記螺旋シャフトに対応するシャフト孔とを有し、前記シャフト孔は、前記螺旋シャフトを通過させることができるような、前記螺旋シャフトの厚さに対応する内径を有し、
前記清掃用部材は、前記内管の下端に固定されることを特徴とする省力回転モップ部材。
【請求項２】
前記清掃用部材は、モップきれ固定盤と、内管連結部材とを有し、
前記モップきれ固定盤は、上面と、下面と、円心と、該円心に形成される貫通穴とを有し、
前記内管連結部材は、内管スリーブと、環状係止部材と、固定盤上部スリーブと、固定盤下部部材と、固定リングとを有し、
前記内管スリーブは、前記内管の下端を挿入させ、下部と、外周面と、該下部から下に向かって突出してなる固定ブロックとを有し、
前記環状係止部材は、前記内管の下端及び前記内管スリーブを固定させるのものであり、環状中央部と、前記環状中央部に形成され、前記内管の下端及び前記内管スリーブに挿入される結合ロッドと、前記内管スリーブの外周面に係合される環状部とを有し、
前記固定盤下部部材は、円盤状を呈し、前記モップきれ固定盤の貫通穴を貫通するように、上方に向かって延出されると共に、外周面を有する突出ブロックを有し、
前記固定リングは、高摩擦係数を有する材料からなり、前記固定盤下部部材と前記モップきれ固定盤の下面との間に設けられ、
前記固定盤上部スリーブは、前記モップきれ固定盤の上面と前記固定盤下部部材の突出ブロックの外周面とを被覆し、前記固定盤下部部材の突出ブロックと共に前記内管スリーブの下部に枢設され、また、前記内管スリーブの固定ブロックに対応する固定ブロック係止溝を有することを特徴とする請求項１に記載の省力回転モップ部材。
【請求項３】
前記外管の外周面の前記外管の下端の近傍における互いに対向する二つの箇所に夫々一つの固定部材連結孔が形成され、
前記内外管固定部材は、円筒形のスリーブであり、
前記内外管固定部材の上端は、前記外管の下端を挿入させ、
また、前記内外管固定部材は、さらに前記外管の下端の近傍に形成され、固定部材連結孔に夫々対応し嵌入される二つの固定部材結合ブロックを有し、
前記ロック取っ手は、前記内外管固定部材の側面における下端の近傍に枢設されることを特徴とする請求項１または請求項２に記載の省力回転モップ部材。
【請求項４】
前記省力回転モップ部材は、係止部材と、底キャップと、軟質パッドリングとを有し、
該係止部材は、前記外管固定部材に挿設され、筒状を呈するものであり、上部と、下方に向かい、縁部を有する開口と、前記開口の縁部における互いに対向する二つの箇所から下方に向かって突出される二つの歯とを有し、
前記底キャップは、前記外管固定部材の下部に取り付けられ、中心と、該中心に形成される貫通穴を有し、
前記軟質パッドリングは、前記外管固定部材と前記底キャップとの間に挿設され、
前記螺旋シャフトは、前記底キャップの貫通穴を通過し、下方に向かって延出され、シャフトキャップと、孔と、位置決めブロックと、封止部材とを有し、
前記シャフトキャップは、前記螺旋シャフトの上端に固定され、前記外管固定部材の内部に回転可能に収容され、上端と、外周面とを有し、
前記孔は、前記螺旋シャフトの下端の近傍に形成され、
前記位置決めブロックは、前記シャフトキャップの外周面における上端の近傍に突設され、
前記封止部材は、前記螺旋シャフトの下端に設置され、
前記内管固定部材は、上方に向かって突出される回転環状係合部材と、前記回転環状係合部材に環設される緩衝リングとを有することを特徴とする請求項１または請求項２に記載の省力回転モップ部材。
【請求項５】
前記省力回転モップ部材は、係止部材、底キャップと、軟質パッドリングとを有し、
該係止部材は、前記外管固定部材に挿設され、筒状を呈するものであり、上部と、下方に向かい、縁部を有する開口と、前記開口の縁部における互いに対向する二つの箇所から下方に向かって突出される二つの歯とを有し、
前記底キャップは、前記外管固定部材の下部に取り付けられ、中心と、該中心に形成される貫通穴を有し、
前記軟質パッドリングは、前記外管固定部材と前記底キャップとの間に挿設され、
前記螺旋シャフトは、前記底キャップの貫通穴を通過し、下方に向かって延出され、シャフトキャップと、位置決めブロックと、封止部材とを有し、
前記シャフトキャップは、前記螺旋シャフトの上端に固定され、前記外管固定部材の内部に回転可能に収容され、上端と、外周面とを有し、
前記位置決めブロックは、前記シャフトキャップの外周面における上端の近傍に突設され、
前記封止部材は、前記シャフトキャップの下端に設置され、
前記内管固定部材は、上方に向かって突出される回転環状係合部材と、前記回転環状係合部材に環設される緩衝リングとを有することを特徴とすることを特徴とする請求項３に記載の省力回転モップ部材。
【請求項６】
前記外管は、上管と、下管と、アーチ状係止部材とを有し、
前記下管は、中空のパイプであり、上端と、下端と、管壁と、該管壁における該上端の近傍に形成される上下管連結孔と、該管壁における該下端の近傍の互いに対向する二つの箇所に夫々形成される二つの固定部材連結孔とを有し、
前記上管は、前記下管の上端を挿入させる中空のパイプであり、上端と、下端と、管壁と、該上端に設置されるパイプキャップと、該管壁における該下端の近傍の近傍に形成される上下管連結孔とを有し、
前記アーチ状係止部材は、弾力性を付与することができるアーチ構成と、前記アーチ構成により形成される二つの下端と、前記弾力性により前記上下管連結孔に係止される、夫々前記二つの下端に形成される二つの連結ブロックとを有することを特徴とする請求項５に記載の省力回転モップ部材。
【請求項７】
前記外管固定部材の上部の近傍における互いに対向する二つの箇所には、夫々一つの係止部材結合孔が形成され、
前記係止部材の上部の近傍における互いに対向する二つの箇所には、夫々一つの係止部材結合孔が形成され、
前記省力回転モップ部材は、前記外管固定部材の係止部材結合孔及び前記係止部材の係止部材結合孔に挿入される、前記外管固定部材と前記係止部材とを固定させるための固定ロッドを有することを特徴とする請求項５に記載の省力回転モップ部材。
【請求項８】
前記螺旋シャフトの下端の近傍には、孔が形成され、
前記封止部材は、二つの半円ブロックを結合してなる円盤であり、
該二つの半円ブロックの中の一つの半円ブロックは、側面と、もう一方の半円ブロックに接触する接触部と、前記接触部に形成されるフックとを有し、
該二つの半円ブロックの中のもう一つの半円ブロックは、側面と、前記フックを有する半円ブロックに接触する接触部と、前記接触部に形成され、前記フックに対応し、該二つの半円ブロックを円盤である前記封止部材に構成させるためのフック溝とを有し、
前記二つの半円ブロックの何れか一つの側面には、前記孔に対応する封止孔が形成され、
前記省力回転モップ部材は、前記孔及び封止孔に挿入され、前記螺旋シャフトと前記封止部材とを固定させるための円柱を有することを特徴とする請求項７に記載の省力回転モップ部材。
【請求項９】
前記内外管固定部材の枢設部には、枢設孔が形成され、
前記ロック取っ手には、前記枢設部の枢設孔に対応する枢設孔が形成され、
前記内外管固定部材は、前記枢設部の枢設孔及び前記ロック取っ手の枢設孔に挿入される、前記ロック取っ手を前記内外管固定部材に枢設させるための枢設ロッドを有することを特徴とする請求項８に記載の省力回転モップ部材。
【考案の詳細な説明】
【技術分野】
【０００１】
本考案は、特に異なるピッチを有する螺旋シャフトを用い、清掃用部材を省力的に高速回転させることにより水切りをすることができる省力回転モップ部材に関するものである。
【背景技術】
【０００２】
モップは室内清掃のための普通な道具であるが、清掃後、モップぎれの水切りを手で作業を行わなくてはならない点は、非常に不便であるのみならず、過敏体質の使用者がモップを使用する場合、モップぎれの汚水との接触が過敏反応を起こす原因となるおそれがある。
【０００３】
例えば特許文献１に示すように、直線性の変位により清掃用部材を一方向へ回転させるように駆動することができるモップは、外管と、該外管に挿設される内管と、該内管の底部に設置される、モップぎれを有する清掃用部材と、前記外管の内部に固定される螺旋シャフトを具備する駆動部材と、前記内管の内部に固定され、制動部材を有する係止部材とを有し、前記制動部材の中心には、前記駆動部材に対応する螺旋孔が形成されるので、前記制動部材が前記駆動部材に沿って直線性な移動をさせられる時、該駆動部材に回転させられる。また、前記制動部材は、前記係止部材を駆動し、前記内管及び、清掃用部材、モップぎれを回転させるので、該清掃用部材及びモップぎれを収容する回転可能なバスケットを有する容器を用い、遠心力により、モップぎれの水切りを行うことができる。
【先行技術文献】
【特許文献】
【０００４】
【特許文献１】台湾実用新案登録M368410号
【考案の概要】
【考案が解決しようとする課題】
【０００５】
しかしながら、前記直線性の変位により清掃用部材を一方向へ回転させるように駆動することができるモップは、水切り効果を発揮する遠心力を得るためには、前記内管を高速回転させなくてはならないので、前記螺旋シャフトは、小ピッチの螺旋状を呈するものである。仕事とエネルギーとの転換原理により、運動エネルギーの変化量は、加えられる有効な力と変位の積である。該モップの静止状態と高速回転状態との運動エネルギーの差は、相当大きいものであるが、前記螺旋シャフトのピッチが小さい。即ち、静止状態から高速回転状態になるまでの変位が非常に小さいので、大きな有効な力を加えなくてはならない。これにより、該モップを回転させ始める段階は、使用者は莫大な力を加えなくてはならないので、使用上は非常に不便である。
【０００６】
そこで、案出されたのが本考案であって、直線性の変位により清掃用部材を一方向へ回転させるように駆動することができるモップの欠点を改善し、清掃用部材を省力的に高速回転させることができる省力回転モップ部材を提供することを目的としている。また、本考案の他の側面において、床がけをする時に、進行方向を便利に変換することができる省力回転モップ部材を提供することを目的としている。
【課題を解決するための手段】
【０００７】
本願の請求項１の考案は、外管と、内管と、内外管固定部材と、一方向駆動部材と、清掃用部材とを有し、
前記外管は、中空状を呈し、下端と、外周面と、内径と、該下端に形成される開口とを有し、
前記内管は、中空状を呈し、回転可能に前記外管の内部に挿設され、上端と、下端と、外周面と、前記外管の内径より小径な外径とを有し、
前記内外管固定部材は、前記外管の外周面における該外管の下端の近傍に固定される上端と、前記内管の外周面における上端の近傍を挿入させる下端と、側面と、枢設部と、前記枢設部に枢設され、前記内管の外周面へ突出される係止ブロックを有するロック取っ手と、前記ロック取っ手とを有し、
前記一方向駆動部材は、外管固定部材と、螺旋シャフトと、内管固定部材とを有し、
前記外管固定部材は、パイプ状を呈し、前記外管の内部に固定され、上部と、下部とを有し、
前記螺旋シャフトは、前記外管固定部材の下部に設置されると共に、ピッチを有する螺旋状を呈し、上端と、下端と、厚さとを有し、前記螺旋シャフトの下端の近傍におけるピッチが前記螺旋シャフトの上端の近傍におけるピッチより大きいものであり、
前記内管固定部材は、パイプ状を呈し、前記内管の内部に固定され、中心と、該中心に形成され、前記螺旋シャフトに対応するシャフト孔とを有し、前記シャフト孔は、前記螺旋シャフトを通過させることができるような、前記螺旋シャフトの厚さに対応する内径を有し、
前記清掃用部材は、前記内管の下端に固定されることを特徴とする省力回転モップ部材、を提供する。
【０００８】
本願の請求項２の考案は、前記清掃用部材は、モップきれ固定盤と、内管連結部材とを有し、
前記モップきれ固定盤は、上面と、下面と、円心と、該円心に形成される貫通穴とを有し、
前記内管連結部材は、内管スリーブと、環状係止部材と、固定盤上部スリーブと、固定盤下部部材と、固定リングとを有し、
前記内管スリーブは、前記内管の下端を挿入させ、下部と、外周面と、該下部から下に向かって突出してなる固定ブロックとを有し、
前記環状係止部材は、前記内管の下端及び前記内管スリーブを固定させるのものであり、環状中央部と、前記環状中央部に形成され、前記内管の下端及び前記内管スリーブに挿入される結合ロッドと、前記内管スリーブの外周面に係合される環状部とを有し、
前記固定盤下部部材は、円盤状を呈し、前記モップきれ固定盤の貫通穴を貫通するように、上方に向かって延出されると共に、外周面を有する突出ブロックを有し、
前記固定リングは、高摩擦係数を有する材料からなり、前記固定盤下部部材と前記モップきれ固定盤の下面との間に設けられ、
前記固定盤上部スリーブは、前記モップきれ固定盤の上面と前記固定盤下部部材の突出ブロックの外周面とを被覆し、前記固定盤下部部材の突出ブロックと共に前記内管スリーブの下部に枢設され、また、前記内管スリーブの固定ブロックに対応する固定ブロック係止溝を有することを特徴とする請求項１に記載の省力回転モップ部材、を提供する。
【０００９】
本願の請求項３の考案は、前記外管の外周面の前記外管の下端の近傍における互いに対向する二つの箇所に夫々一つの固定部材連結孔が形成され、
前記内外管固定部材は、円筒形のスリーブであり、
前記内外管固定部材の上端は、前記外管の下端を挿入させ、
また、前記内外管固定部材は、さらに前記外管の下端の近傍に形成され、固定部材連結孔に夫々対応し嵌入される二つの固定部材結合ブロックを有し、
前記ロック取っ手は、前記内外管固定部材の側面における下端の近傍に枢設されることを特徴とする請求項１または請求項２に記載の省力回転モップ部材、を提供する。
【００１０】
本願の請求項４の考案は、前記省力回転モップ部材は、係止部材と、底キャップと、軟質パッドリングとを有し、
該係止部材は、前記外管固定部材に挿設され、筒状を呈するものであり、上部と、下方に向かい、縁部を有する開口と、前記開口の縁部における互いに対向する二つの箇所から下方に向かって突出される二つの歯とを有し、
前記底キャップは、前記外管固定部材の下部に取り付けられ、中心と、該中心に形成される貫通穴を有し、
前記軟質パッドリングは、前記外管固定部材と前記底キャップとの間に挿設され、
前記螺旋シャフトは、前記底キャップの貫通穴を通過し、下方に向かって延出され、シャフトキャップと、孔と、位置決めブロックと、封止部材とを有し、
前記シャフトキャップは、前記螺旋シャフトの上端に固定され、前記外管固定部材の内部に回転可能に収容され、上端と、外周面とを有し、
前記孔は、前記螺旋シャフトの下端の近傍に形成され、
前記位置決めブロックは、前記シャフトキャップの外周面における上端の近傍に突設され、
前記封止部材は、前記螺旋シャフトの下端に設置され、
前記内管固定部材は、上方に向かって突出される回転環状係合部材と、前記回転環状係合部材に環設される緩衝リングとを有することを特徴とする請求項１または請求項２に記載の省力回転モップ部材、を提供する。
【００１１】
本願の請求項５の考案は、前記省力回転モップ部材は、係止部材、底キャップと、軟質パッドリングとを有し、
該係止部材は、前記外管固定部材に挿設され、筒状を呈するものであり、上部と、下方に向かい、縁部を有する開口と、前記開口の縁部における互いに対向する二つの箇所から下方に向かって突出される二つの歯とを有し、
前記底キャップは、前記外管固定部材の下部に取り付けられ、中心と、該中心に形成される貫通穴を有し、
前記軟質パッドリングは、前記外管固定部材と前記底キャップとの間に挿設され、
前記螺旋シャフトは、前記底キャップの貫通穴を通過し、下方に向かって延出され、シャフトキャップと、位置決めブロックと、封止部材とを有し、
前記シャフトキャップは、前記螺旋シャフトの上端に固定され、前記外管固定部材の内部に回転可能に収容され、上端と、外周面とを有し、
前記位置決めブロックは、前記シャフトキャップの外周面における上端の近傍に突設され、
前記封止部材は、前記シャフトキャップの下端に設置され、
前記内管固定部材は、上方に向かって突出される回転環状係合部材と、前記回転環状係合部材に環設される緩衝リングとを有することを特徴とすることを特徴とする請求項３に記載の省力回転モップ部材、を提供する。
【００１２】
本願の請求項６の考案は、前記外管は、上管と、下管と、アーチ状係止部材とを有し、
前記下管は、中空のパイプであり、上端と、下端と、管壁と、該管壁における該上端の近傍に形成される上下管連結孔と、該管壁における該下端の近傍の互いに対向する二つの箇所に夫々形成される二つの固定部材連結孔とを有し、
前記上管は、前記下管の上端を挿入させる中空のパイプであり、上端と、下端と、管壁と、該上端に設置されるパイプキャップと、該管壁における該下端の近傍に形成される上下管連結孔とを有し、
前記アーチ状係止部材は、弾力性を付与することができるアーチ構成と、前記アーチ構成により形成される二つの下端と、前記弾力性により前記上下管連結孔に係止される、夫々前記二つの下端に形成される二つの連結ブロックとを有することを特徴とする請求項５に記載の省力回転モップ部材、を提供する。
【００１３】
本願の請求項７の考案は、前記外管固定部材の上部の近傍における互いに対向する二つの箇所には、夫々一つの係止部材結合孔が形成され、
前記係止部材の上部の近傍における互いに対向する二つの箇所には、夫々一つの係止部材結合孔が形成され、
前記省力回転モップ部材は、前記外管固定部材の係止部材結合孔及び前記係止部材の係止部材結合孔に挿入される、前記外管固定部材と前記係止部材とを固定させるための固定ロッドを有することを特徴とする請求項５に記載の省力回転モップ部材、を提供する。
【００１４】
本願の請求項８の考案は、前記螺旋シャフトの下端の近傍には、孔が形成され、
前記封止部材は、二つの半円ブロックを結合してなる円盤であり、
該二つの半円ブロックの中の一つの半円ブロックは、側面と、もう一方の半円ブロックに接触する接触部と、前記接触部に形成されるフックとを有し、
該二つの半円ブロックの中のもう一つの半円ブロックは、側面と、前記フックを有する半円ブロックに接触する接触部と、前記接触部に形成され、前記フックに対応し、該二つの半円ブロックを円盤である前記封止部材に構成させるためのフック溝とを有し、
前記二つの半円ブロックの何れか一つの側面には、前記孔に対応する封止孔が形成され、
前記省力回転モップ部材は、前記孔及び封止孔に挿入され、前記螺旋シャフトと前記封止部材とを固定させるための円柱を有することを特徴とする請求項７に記載の省力回転モップ部材、を提供する。
【００１５】
本願の請求項９の考案は、前記内外管固定部材の枢設部には、枢設孔が形成され、
前記ロック取っ手には、前記枢設部の枢設孔に対応する枢設孔が形成され、
前記内外管固定部材は、前記枢設部の枢設孔及び前記ロック取っ手の枢設孔に挿入される、前記ロック取っ手を前記内外管固定部材に枢設させるための枢設ロッドを有することを特徴とする請求項８に記載の省力回転モップ部材、を提供する。
【考案の効果】
【００１６】
本考案は上記の課題を解決するものであり、前記清掃部材にモップぎれを取り付けることにより、モップとしての効果を発揮することができる。また、前記一方向駆動部材のシャフト孔が直線型を呈するものであるので、前記内管固定部材が前記螺旋シャフトに沿って直線性の上下移動を行う時、必然的に回転する。なお、前記螺旋シャフトの下端の近傍におけるピッチが上端の近傍におけるピッチより大きいものであるので、該内管が前記外管の内部へ移動される時、前記内管固定部材が前記螺旋シャフトの下端から上端へ、即ち該螺旋シャフトにおける大ピッチの部分から小ピッチの部分へ移動される。これにより、静止状態から、回転が始まる段階において、一回転に相応する変位量が大きく、使用者が加える力が小さい。回転している状態の前記内管固定部材は、回転慣性があるので、該螺旋シャフトにおける小ピッチの部分に入っても、すでに回転慣性を得ている前記内管固定部材に使用者が少々力を加えれば、省力的に前記内管固定部材を高速回転させることができる。
【図面の簡単な説明】
【００１７】
【図１】本考案に係る省力回転モップ部材の分解斜視図である。
【図２Ａ】本考案に係る省力回転モップ部材の内外管固定部材を示す部分側面断面図である。
【図２Ｂ】本考案に係る省力回転モップ部材の内外管固定部材を示す部分側面断面図である。
【図３】本考案に係る省力回転モップ部材の一方向駆動部材を示す分解斜視図である。
【図４】本考案に係る省力回転モップ部材の清掃用部材を示す分解斜視図である。
【図５】本考案に係る省力回転モップ部材の内管連結部材及び環状係止部材を示す平面断面図である。
【図６】本考案に係る省力回転モップ部材の清掃用部材の側面断面図である。
【図７Ａ】本考案に係る省力回転モップ部材における一方向駆動部材の使用状態を示す斜視図である。
【図７Ｂ】本考案に係る省力回転モップ部材における一方向駆動部材の使用状態を示す斜視図である。
【図８Ａ】本考案に係る省力回転モップ部材における外管固定部材の側面断面図である。
【図８Ｂ】本考案に係る省力回転モップ部材における外管固定部材の斜視図である。
【図８Ｃ】本考案に係る省力回転モップ部材における外管固定部材の斜視図である。
【図９】本考案に係る省力回転モップ部材の使用状態を示す分解斜視図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１に示すように、本考案に係る省力回転モップ部材は、外管１１と、内管２０と、内外管固定部材３０と、一方向駆動部材４０と、清掃用部材５０とを有する。
【００２０】
前記外管１１は、中空状を呈し、下端と、外周面と、内径と、該下端に形成される開口とを有する。前記外管１１の外周面の前記外管１１の下端の近傍における互いに対向する二つの箇所に夫々一つの固定部材連結孔１１６が形成される。また，前記外管１１は、上管１１１と、下管１１２と、アーチ状係止部材１１３とを有する。
前記下管１１２は、中空のパイプであり、上端と、下端と、管壁と、該管壁における該上端の近傍に形成される上下管連結孔１１５と、該管壁における該下端の近傍の互いに対向する二つの箇所に夫々形成される二つの固定部材連結孔１１６とを有する。
前記上管１１１は、前記下管１１２の上端を挿入させる中空のパイプであり、上端と、下端と、管壁と、該上端に設置されるパイプキャップ１１４と、該管壁における該下端の近傍に形成される上下管連結孔１１５とを有する。
前記アーチ状係止部材１１３は、弾力性を付与することができるアーチ構成と、前記アーチ構成により形成される二つの下端と、前記弾力性により前記上下管連結孔１１５に係止される、夫々前記二つの下端に形成される二つの連結ブロック１１７とを有するものであるので、前記上管１１１と、下管１１２を固定させることができる。
【００２１】
前記内管２０は、中空状を呈し、回転可能に前記外管１１の内部に挿設され、上端と、下端と、外周面と、前記外管１１の内径より小径な外径と、前記外周面における下端の近傍に形成されると共に、互いに該内管２０の反対側に位置する二つの清掃部材結合孔２１とを有する。本実施例においては、前記内管２０の外径が前記外管１１の下管１１２の内径より小径なものであるので、前記内管２０を前記下管１１２に挿入させ、該外管１１に対して伸縮することができる。
【００２２】
さらに図２A、図２B及び図４に示すように、前記内外管固定部材３０は、前記外管１１の外周面における該外管１１の下端の近傍に固定される上端と、前記内管２０の外周面における上端の近傍を挿入させる下端と、側面と、枢設部と、前記枢設部に枢設されるロック取っ手３２と、前記ロック取っ手３２とを有する。本実施例においては、前記内外管固定部材３０は、円筒形のスリーブであり、前記内外管固定部材３０の上端は、前記外管１１の下端、即ち、前記下管１１２の下端を挿入させ、該下管１１２の下端の近傍を前記内外管固定部材３０の内部に収容し固定させる。
また、前記内外管固定部材３０の枢設部には、枢設孔３２２１が形成されると共に、前記ロック取っ手３２には、前記枢設部の枢設孔３２２１に対応する枢設孔３２２２が形成される。前記枢設部の枢設孔３２２１及び前記ロック取っ手３２の枢設孔３２２２には、前記ロック取っ手３２を前記内外管固定部材３０に枢設させるための枢設ロッド３２２が挿入される。
前記ロック取っ手３２は、前記内管２０の外周面へ突出される係止ブロック３２１を有し、前記ロック取っ手３２が回動させられ、前記係止ブロック３２１を前記内管２０の外周面に当接させると、該内管２０を該内外管固定部材３０に対して移動できないように固定することができる。
【００２３】
さらに図３及び図８Aに示すように、前記一方向駆動部材４０は、前記外管１１の内部及び前記内管２０の内部に設置され、外管固定部材４１と、螺旋シャフト４２と、内管固定部材４４とを有する。前記外管固定部材４１は、パイプ状を呈し、前記外管１１の内部に固定され、上部と、下部とを有する。
本実施例はさらに係止部材４１１と、底キャップ４１４と、軟質パッドリング４３とを有し、該係止部材４１１は、前記外管固定部材４１に挿設され、筒状を呈するものであり、上部と、下方に向かい、縁部を有する開口と、前記開口の縁部における互いに対向する二つの箇所から下方に向かって突出される二つの歯４１１２とを有する。
前記底キャップ４１４は、前記外管固定部材４１の下部に取り付けられ、中心と、該中心に形成される貫通穴を有する。
前記軟質パッドリング４３は、前記外管固定部材４１と前記底キャップ４１４との間に挿設され、前記外管固定部材４１と前記底キャップ４１４との衝突を防ぐためのものである。
【００２４】
前記螺旋シャフト４２は、前記外管固定部材４１の下部に設置されると共に、ピッチを有する螺旋状を呈し、上端と、下端と、厚さとを有し、前記螺旋シャフト４２の下端の近傍におけるピッチが前記螺旋シャフト４２の上端の近傍におけるピッチより大きいものであり、即ち、前記螺旋シャフト４２の下端の近傍に形成される小ピッチ部の既定の長さにおいて多数な螺旋数を有することに対して、前記螺旋シャフト４２の上端の近傍に形成される大ピッチ部の同様の長さにおいては小ピッチ部より螺旋数が少ない。
本実施例においては、前記螺旋シャフト４２は、前記底キャップ４１４の貫通穴を通過し、下方に向かって延出され、シャフトキャップ４２１と、孔４２３と、位置決めブロック４２１１と、封止部材４２２とを有する。
前記シャフトキャップ４２１は、前記螺旋シャフト４２の上端に固定され、前記外管固定部材４１の内部に回転可能に収容され、上端と、外周面とを有する。
前記孔４２３は、前記螺旋シャフト４２の下端の近傍に形成される。
前記位置決めブロック４２１１は、前記シャフトキャップ４２１の外周面における上端の近傍に突設される。
前記封止部材４２２は、前記螺旋シャフト４２の下端に設置される。
また、前記封止部材４２２は、二つの半円ブロック４２２１を結合してなる円盤である。
該二つの半円ブロック４２２１の中の一つの半円ブロック４２２１は、側面と、もう一方の半円ブロック４２２１に接触する接触部と、前記接触部に形成されるフック４２２１１とを有する。
該二つの半円ブロック４２２１の中のもう一つの半円ブロック４２２１は、側面と、前記フック４２２１１を有する半円ブロック４２２１に接触する接触部と、前記接触部に形成され、前記フック４２２１１に対応し、該二つの半円ブロック４２２１を円盤である前記封止部材４２２に構成させるためのフック溝４２２１２とを有する。
前記二つの半円ブロック４２２１の何れか一つの側面には、前記孔４２３に対応する封止孔が形成される。
前記省力回転モップ部材は、前記孔４２３及び封止孔に挿入され、前記螺旋シャフト４２と前記封止部材４２２とを固定させるための円柱４２２２を有する。この円柱４２２２により、前記二つの半円ブロック４２２１を結合してなる封止部材４２２を前記螺旋シャフト４２の下端に設置させることができる。
【００２５】
前記内管固定部材４４は、パイプ状を呈し、前記内管２０の内部に固定され、中心と、該中心に形成され、前記螺旋シャフト４２に対応するシャフト孔４４２とを有する。本実施例においては、前記内管固定部材４４は、前記内管２０の内部における該内管２０の上端の近傍に固定され、上方に向かって突出される回転環状係合部材４４１と、前記回転環状係合部材４４１に環設される緩衝リング４４３とを有する。前記緩衝リング４４３は、前記内管固定部材４４と外管固定部材４１との衝突から前記回転環状係合部材４４１を保護することができる。また、前記緩衝リング４４３は回転可能なものであるので、前記内管２０が前記外管１１の内部に該外管１１に対して伸縮する時に、前記内管固定部材４４の突出箇所が前記外管１１の内周面との摩耗を軽減させる事ができる。
また、前記シャフト孔４４２は、前記螺旋シャフト４２を通過させることができるような、前記螺旋シャフト４２の厚さに対応する内径を有する。これにより、前記螺旋シャフト４２は、前記シャフト孔４４２に対して回転する状態でしか、軸方向に沿って移動することができない。
【００２６】
さらに図７A、図７B、図８B及び図８Cに示すように、前記内管固定部材４４が下から上に向かって前記外管固定部材４１に接近する時、前記螺旋シャフト４２が上へ押圧されるので、前記シャフトキャップ４２１は前記係止部材４１１をさらに押圧し、図８Bのように、例えば右に向かって回転しようとするが、前記位置決めブロック４２１１が歯４１１２に阻止されるので、前記シャフトキャップ４２１は回転できなくなる。これに対して、前記内管固定部材４４が上から下に向かって移動する時、前記シャフトキャップ４２１が下方へ牽引され、位置決めブロック４２１１が歯４１１２から離れるので、前記螺旋シャフト４２は自由に回転することができる。また、前記螺旋シャフト４２は自由に回転するが、前記内管固定部材４４は回転しなくてもよい状態である。上述した構成により、前記一方向駆動部材４０は、前記内管固定部材４４が下から上に向かって前記外管固定部材４１に接近する時には回転するが、前記内管固定部材４４が前記外管固定部材４１から離れる時は回転しない。
【００２７】
さらに図４及び図５に示すように、前記清掃用部材５０は、前記内管２０の下端に固定され、モップきれ固定盤５１と、内管連結部材５２とを有する。
【００２８】
前記モップきれ固定盤５１は、上面と、下面と、円心と、該円心に形成される貫通穴５１３とを有するものであり、具体的に、円盤状の外盤５１１と、同様に円盤状の内盤５１２とからなる。前記外盤５１１及び内盤５１２の円心には共に貫通穴５１３が形成され、前記外盤５１１の周縁には、前記内盤５１２の周縁を被覆し係合する突出リングが形成され、また、前記内盤５１２の周縁には、モップぎれを設置させるための複数のモップぎれ孔５１２１が形成される。
【００２９】
前記内管連結部材５２は、内管スリーブ５２１と、環状係止部材５３と、内管用内スリーブ５４と、固定盤上部スリーブ５２２と、固定盤下部部材５２３と、固定リング５２３２とを有する。
【００３０】
前記内管スリーブ５２１は、前記内管２０の下端を挿入させ、下部と、外周面と、該下部から下に向かって突出してなる固定ブロック５２１４とを有する。前記内管用内スリーブ５４は、前記内管２０の内部における下端の近傍に取り付けられるものであり、前記内管用内スリーブ５４には、前記内管２０の清掃部材結合孔２１に対応する内管結合孔５２１３が穿設される。
【００３１】
前記環状係止部材５３は、前記内管２０の下端及び前記内管スリーブ５２１を固定させるのものであり、環状中央部と、前記環状中央部に形成され、前記内管２０の清掃部材結合孔２１、前記内管スリーブ５２１、並びに前記内管用内スリーブ５４の内管結合孔５２１３に挿入される結合ロッド５３１と、前記内管スリーブ５２１の外周面に係合される環状部とを有するので、図５に示すように、前記内管２０と、前記内管スリーブ５２１と、前記内管用内スリーブ５４とを結合させることができる。
【００３２】
前記固定盤下部部材５２３は、円盤状を呈し、前記モップきれ固定盤５１の貫通穴５１３を貫通するように、上方に向かって延出されると共に、外周面を有する突出ブロック５２３３を有する。また、前記固定盤下部部材５２３の表面には、前記モップきれ固定盤５１に当接される複数の支持ロッド５２３５と、リング溝５２３１とが形成される。
【００３３】
前記固定リング５２３２は、高摩擦係数を有する材料からなり、前記固定盤下部部材５２３と前記モップきれ固定盤５１の下面との間に設けられる。
【００３４】
前記固定盤上部スリーブ５２２は、前記モップきれ固定盤５１の上面と前記固定盤下部部材５２３の突出ブロック５２３３の外周面とを被覆し、前記固定盤下部部材５２３の突出ブロック５２３３と共に前記内管スリーブ５２１の下部に枢設され、また、前記内管スリーブ５２１の固定ブロック５２１４に対応する固定ブロック係止溝５２２１を有する。本実施例においては、前記突出ブロック５２３３に連結部材結合孔５２３４が形成され、前記固定盤上部スリーブ５２２に連結部材結合孔５２３４が形成されると共に、前記内管連結部材５２に連結部材結合孔５２３４が形成されるので、ねじ５２１１と、ナット５２１２とを用い、前記固定盤下部部材５２３の突出ブロック５２３３及び前記固定盤上部スリーブ５２２を前記内管スリーブ５２１の下部に枢設させることができる。
【００３５】
さらに図６に示すように、前記固定盤上部スリーブ５２２は、前記固定盤下部部材５２３の突出ブロック５２３３と共に前記内管スリーブ５２１の下部に枢設されるので、前記内管スリーブ５２１が前記固定盤上部スリーブ５２２に直交する位置まで回動させられると、前記固定ブロック５２１４が前記固定ブロック係止溝５２２１に係止し、下に向かって押圧し、前記モップきれ固定盤５１を前記固定盤上部スリーブ５２２と前記固定盤下部部材５２３との間により確実に挟持する。また、前記固定リング５２３２は高摩擦係数を有する材料からなるものであるので、前記モップきれ固定盤５１と前記内管連結部材５２とをさらに確実に固定させることができる。
【００３６】
これに対して、前記内管スリーブ５２１は前記固定盤上部スリーブ５２２に直交する位置まで回動していない場合、前記モップきれ固定盤５１は前記複数の支持ロッド５２３５により持ち上げられ、前記固定リング５２３２から離間するので、前記内管連結部材５２に対して回転することができる。
【００３７】
さらに図９に示すように、本考案に係る省力回転モップ部材を、足での操作が不要な脱水桶１００と併用することが好ましい。前記脱水桶１００は、回転可能な笊部材１０１を具備する。使用時、使用者は先ず本考案に係る省力回転モップ部材の内管２０を前記モップきれ固定盤５１に直交する位置まで回動させ、前記内管２０と前記モップきれ固定盤５１とを確実に固定させてから、前記モップきれ固定盤５１を前記笊部材１０１に収容する。そこで前記外管１１を下へ押圧すると、前記外管１１が前記内管２０に対して収縮し、前記内管固定部材４４と前記外管固定部材４１とを接近させるので、前記内管固定部材４４が前記内管２０と、前記内管２０に連動する前記モップきれ固定盤５１とを回転させ、前記モップきれ固定盤５１に取り付けられるモップきれを遠心力で脱水させることができる。
【００３８】
なお、前記内管２０と前記モップきれ固定盤５１とを回転させ始める段階で、前記内管固定部材４４は、前記螺旋シャフト４２の下端の近傍における大ピッチの部分に位置する。静止状態から前記内管固定部材４４を駆動し始める時、前記螺旋シャフト４２の大ピッチの部分には、一回の回転に対する変位距離が長いので、使用者が加えなくてはならない駆動力は小さいことから、省力効果を得ることができる。また、小ピッチ部に入る時は、回転する前記内管２０にはすでに回転慣性を有しているので、この回転慣性を補助するために少々力を与えれば、前記内管２０と前記モップきれ固定盤５１との高速回転状態を維持することができることから、確実に省力効果を得る事ができる。
【産業上の利用可能性】
【００３９】
本考案に係る省力回転モップ部材は上記の構成を有するので、モップきれが取り付けられる前記モップきれ固定盤を省力的に回転させることができる。また、モップきれ固定盤が固定されていない時は回転できるので、例えば壁の隅で簡単に進行方向を変えることができる。
【符号の説明】
【００４０】
１００      脱水桶
１０１      笊部材
１１１      上管
１１２      下管
１１３      係止部材
１１４      パイプキャップ
１１５      上下管連結孔
１１６      固定部材連結孔
１１７      連結ブロック
１１        外管
２０        内管
２１        清掃部材結合孔
３０        内外管固定部材
３１        固定部材結合ブロック
３２１      係止ブロック
３２２１    枢設孔
３２２２    枢設孔
３２２      枢設ロッド
３２        ロック取っ手
４０        一方向駆動部材
４１１２    歯
４１１      係止部材
４１２      固定ロッド
４１３      係止部材結合孔
４１４      底キャップ
４１        外管固定部材
４２１１    位置決めブロック
４２１      シャフトキャップ
４２２１１  フック
４２２１２  フック溝
４２２１    半円ブロック
４２２２    円柱
４２２      封止部材
４２３      孔
４２        螺旋シャフト
４３        軟質パッドリング
４４１      回転環状係合部材
４４２      シャフト孔
４４３      緩衝リング
４４        内管固定部材
５０        清掃用部材
５１１      外盤
５１２１    モップぎれ孔
５１２      内盤
５１３      貫通穴
５１        モップきれ固定盤
５２１      内管スリーブ
５２１１    ねじ
５２１２    ナット
５２１３    内管結合孔
５２１４    固定ブロック
５２２１    固定ブロック係止溝
５２２      固定盤上部スリーブ
５２３１    リング溝
５２３２    固定リング
５２３３    突出ブロック
５２３４    連結部材結合孔
５２３５    支持ロッド
５２３      固定盤下部部材
５２        内管連結部材
５３１      結合ロッド
５３        環状係止部材
５４        内管用内スリーブ
【図１】
0003167491.tif 000003
【図２Ａ】
0003167491.tif 000004
【図２Ｂ】
0003167491.tif 000005
【図３】
0003167491.tif 000006
【図４】
0003167491.tif 000007
【図５】
0003167491.tif 000008
【図６】
0003167491.tif 000009
【図７Ａ】
0003167491.tif 000010
【図７Ｂ】
0003167491.tif 000011
【図８Ａ】
0003167491.tif 000012
【図８Ｂ】
0003167491.tif 000013
【図８Ｃ】
0003167491.tif 000014
【図９】
0003167491.tif 000015